(57)【要約】【課題】モアレ縞を低減することが可能なプリズムを備える液晶表示装置およびこれを備える液晶表示装置を提供する。【解決手段】液晶表示装置Ｘ１は、矢印ＣＤ方向における該画素の開口幅をＡＰ、光散乱層３０のヘイズ値をＨ、液晶表示パネル１０の各画素に対応するプリズム２０の矢印ＣＤ方向における第１傾斜面領域の平面視長さの総和をＬ、液晶表示パネル１０の各画素に対応するプリズム２０の矢印ＣＤ方向における第２傾斜面領域の平面視長さの総和をＲとするとき、ｄ＝（Ｌ−Ｒ）÷ＡＰにより画素ごとに算出されるｄの最大値と最小値との差Ｄが０以上０．３以下でヘイズ値Ｈを５以上とし、該差Ｄが０．３より大きく０．７以下でヘイズ値Ｈを１０以上とし、該差Ｄが０．７より大きく１以下でヘイズ値Ｈを２０以上とする。【選択図】図１
2008066066.tif 000002
【特許請求の範囲】
【請求項１】
平面視において略等ピッチで配列される複数の画素を有する表示パネルと、前記表示パネルの一方主面側に配置されるプリズムと、前記表示パネルと前記プリズムとの間、あるいは、前記表示パネルの他方主面側に配置され、光を散乱させる機能を担う一の光散乱層とを備え、
前記プリズムは、前記表示パネルの一方主面に対して傾斜する第１傾斜面と、該第１傾斜面と異なる角度で傾斜する第２傾斜面とをそれぞれ複数有しており、
前記光散乱層は、前記画素に対応する領域において、該光散乱層の一方主面と他方主面とがそれぞれ略平坦面であり且つ該光散乱層の一方主面と他方主面とが略平行であり、
前記表示パネルの前記複数の画素の配列方向における該画素の開口幅をＡＰ、前記光散乱層のヘイズ値をＨ、前記表示パネルの各画素に対応する前記プリズムの前記配列方向における前記第１傾斜面領域の平面視長さの総和をＬ、前記表示パネルの各画素に対応する前記プリズムの前記配列方向における前記第２傾斜面領域の平面視長さの総和をＲとするとき、ｄ＝（Ｌ−Ｒ）÷ＡＰにより前記画素ごとに算出されるｄの最大値と最小値との差Ｄが０以上０．３以下で前記ヘイズ値Ｈを５以上とし、該差Ｄが０．３より大きく０．７以下で前記ヘイズ値Ｈを１０以上とし、該差Ｄが０．７より大きく１以下で前記ヘイズ値Ｈを２０以上とすることを特徴とする、表示装置。
【請求項２】
前記表示パネルの一方主面側に配置され、第１振動方向の光を選択的に通過し且つ前記第１振動方向と振動方向が異なる第２振動方向の光を反射する反射偏光部材と、前記反射偏光部材および前記プリズムを介して前記表示パネルの一方主面側に配置される光反射部材とを更に備えていることを特徴とする、請求項１に記載の表示装置。
【請求項３】
前記光散乱層は、透光性材料と、表面の少なくとも一部が前記透光性材料に被覆される光散乱材とを含んでなることを特徴とする、請求項１に記載の表示装置。
【請求項４】
前記透光性材料は接着性を有しており、前記光散乱層は前記表示パネルと前記反射偏光部材との間に配置されていることを特徴とする、請求項３に記載の表示装置。
【請求項５】
前記光散乱材は、前記透光性材料と屈折率の異なる透光性材料により構成されていることを特徴とする、請求項３に記載の表示装置。
【請求項６】
前記各第１傾斜面の平面視長さは、前記各第２傾斜面の平面視長さに略等しいことを特徴とする、請求項１に記載の表示装置。
【請求項７】
前記表示パネルと前記プリズムとの間に配置される別のプリズムを更に有しており、
前記別のプリズムにおけるプリズム溝の延びる方向は、前記プリズムにおけるプリズム溝の延びる方向に対して略直交していることを特徴とする、請求項１に記載の表示装置。
【請求項８】
平面視において略等ピッチで配列される複数の画素を有する表示パネルと、前記表示パネルの一方主面側に配置されるプリズムとを備え、
前記表示パネルは、光を散乱させる機能を担う一の光散乱層を含んでなり、
前記光散乱層は、前記画素に対応する領域において、該光散乱層の一方主面と他方主面とがそれぞれ略平坦面であり且つ該光散乱層の一方主面と他方主面とが略平行であり、
前記プリズムは、前記表示パネルの一方主面に対して傾斜する第１傾斜面と、該第１傾斜面と異なる角度で傾斜する第２傾斜面とをそれぞれ複数有しており、
前記表示パネルの前記複数の画素の配列方向における該画素の開口幅をＡＰ、前記光散乱層のヘイズ値をＨ、前記表示パネルの各画素に対応する前記プリズムの前記配列方向における前記第１傾斜面領域の平面視長さの総和をＬ、前記表示パネルの各画素に対応する前記プリズムの前記配列方向における前記第２傾斜面領域の平面視長さの総和をＲとするとき、ｄ＝（Ｌ−Ｒ）÷ＡＰにより前記画素ごとに算出されるｄの最大値と最小値との差Ｄが０以上０．３以下で前記ヘイズ値Ｈを５以上とし、該差Ｄが０．３より大きく０．７以下で前記ヘイズ値Ｈを１０以上とし、該差Ｄが０．７より大きく１以下で前記ヘイズ値Ｈを２０以上とすることを特徴とする、表示装置。
【請求項９】
前記表示パネルの一方主面側に配置され、第１振動方向の光を選択的に通過し且つ前記第１振動方向と振動方向が異なる第２振動方向の光を反射する反射偏光部材と、前記反射偏光部材および前記プリズムを介して前記表示パネルの一方主面側に配置される光反射部材とを更に備えていることを特徴とする、請求項８に記載の表示装置。
【請求項１０】
前記光散乱層は、透光性材料と、表面の少なくとも一部が前記透光性材料に被覆される光散乱材とを含んでなることを特徴とする、請求項８に記載の表示装置。
【請求項１１】
前記光散乱材は、前記透光性材料と屈折率の異なる透光性材料により構成されていることを特徴とする、請求項１０に記載の表示装置。
【請求項１２】
前記光散乱層は、凹凸を平坦化するための平坦化層としての機能も担うことを特徴とする、請求項８に記載の表示装置。
【請求項１３】
前記各第１傾斜面の平面視長さは、前記各第２傾斜面の平面視長さに略等しいことを特徴とする、請求項８に記載の表示装置。
【請求項１４】
前記表示パネルと前記プリズムとの間に配置される別のプリズムを更に有しており、
前記別のプリズムにおけるプリズム溝の延びる方向は、前記プリズムにおけるプリズム溝の延びる方向に対して略直交していることを特徴とする、請求項８に記載の表示装置。
【請求項１５】
平面視において略等ピッチで配列される複数の画素を有する表示パネルと、前記表示パネルの一方主面側に配置されるプリズムと、前記表示パネルと前記プリズムとの間、あるいは、前記表示パネルの他方主面側に配置され、光を散乱させる機能を担う一の光散乱層とを備え、
前記プリズムは、前記表示パネルの一方主面に対して傾斜する第１傾斜面と、該第１傾斜面と異なる角度で傾斜する第２傾斜面とをそれぞれ複数有しており、
前記光散乱層は、前記画素に対応する領域において、該光散乱層の一方主面が略平坦面であり且つ該光散乱層の他方主面が凹凸面であり、
前記表示パネルの前記複数の画素の配列方向における該画素の開口幅をＡＰ、前記光散乱層のヘイズ値をＨ、前記表示パネルの各画素に対応する前記プリズムの前記配列方向における前記第１傾斜面領域の平面視長さの総和をＬ、前記表示パネルの各画素に対応する前記プリズムの前記配列方向における前記第２傾斜面領域の平面視長さの総和をＲとするとき、ｄ＝（Ｌ−Ｒ）÷ＡＰにより前記画素ごとに算出されるｄの最大値と最小値との差Ｄが０以上０．４以下で前記ヘイズ値Ｈを２以上とし、該差Ｄが０．４より大きく０．７以下で前記ヘイズ値Ｈを４以上とし、該差Ｄが０．７より大きく０．９以下で前記ヘイズ値Ｈを８以上とし、該差Ｄが０．９より大きく１以下で前記ヘイズ値Ｈを１２以上とすることを特徴とする、表示装置。
【請求項１６】
前記表示パネルの一方主面側に配置され、第１振動方向の光を選択的に通過し且つ前記第１振動方向と振動方向が異なる第２振動方向の光を反射する反射偏光部材と、前記反射偏光部材および前記プリズムを介して前記表示パネルの一方主面側に配置される光反射部材とを更に備えていることを特徴とする、請求項１５に記載の表示装置。
【請求項１７】
前記光散乱層は、透光性材料と、表面の少なくとも一部が前記透光性材料に被覆される光散乱材とを含んでなることを特徴とする、請求項１５に記載の表示装置。
【請求項１８】
前記透光性材料は接着性を有しており、前記光散乱層は前記表示パネルの一方主面または他方主面に被着されていることを特徴とする、請求項１７に記載の表示装置。
【請求項１９】
前記光散乱材は、前記透光性材料と屈折率の異なる透光性材料により構成されていることを特徴とする、請求項１７に記載の表示装置。
【請求項２０】
前記各第１傾斜面の平面視長さは、前記各第２傾斜面の平面視長さに略等しいことを特徴とする、請求項１５に記載の表示装置。
【請求項２１】
前記表示パネルと前記プリズムとの間に配置される別のプリズムを更に有しており、
前記別のプリズムにおけるプリズム溝の延びる方向は、前記プリズムにおけるプリズム溝の延びる方向に対して略直交していることを特徴とする、請求項１５に記載の表示装置。
【発明の詳細な説明】
【技術分野】
【０００１】
本発明は、プリズムシートを備える表示装置に関する。
【背景技術】
【０００２】
画像を表示するための表示装置としては、液晶表示装置、ブラウン管表示装置、プラズマ表示装置などが挙げられるが、中でもサイズや電力消費の観点から液晶表示装置が広く採用されている。このような液晶表示装置は、通常、液晶表示パネルと、この液晶表示パネルに光を入射するためのバックライトとを備えている。そして、バックライトは、液晶表示パネルに対して光を均一に入射すべく、散乱光を出射するように構成されている。しかしながら、バックライトから出射されたままの光では光が散乱した状態であるため、バックライトから出射される光を液晶表示パネルに対して充分に入射させることができず、結果として充分な輝度を確保することができない。そこで、このような問題を解消すべく、液晶表示パネルとバックライトとの間にバックライトから出射される光を集光するためのプリズムを配置した液晶表示装置が開発された。しかしながら、この構成の液晶表示装置では、液晶表示パネルにおいて等ピッチで配列形成される複数の画素と、一定のプリズムピッチで構成されるプリズムとが光学的に干渉してしまい、表示画像に光学的なムラ（モアレ縞）が強く表れてしまう場合があった。そこで、このような光学的干渉に起因するモアレ縞の程度が抑制する技術が開発され、例えば特許文献１に開示されている。
【特許文献１】特開２０００−１８０８３４号公報
【発明の開示】
【発明が解決しようとする課題】
【０００３】
しかしながら、特許文献１に開示されている液晶表示装置において光は、偏光部材の表面を粗面化処理してなる光散乱層を複数通過するため、この光散乱層を通過するごとに散乱してしまい、プリズムによる集光効果を輝度向上に充分繋げることができない。【０００４】
本発明は、このような事情のもとで考え出されたものであって、モアレ縞の程度を充分に抑制するとともに、プリズムによる集光効果を輝度向上に充分に繋げることが可能な表示装置を提供すること、を目的とする。
【課題を解決するための手段】
【０００５】
本発明の第１の側面に係る表示装置は、表示パネルと、プリズムと、一の光散乱層とを備えている。前記表示パネルは、平面視において略等ピッチで配列される複数の画素を有する。前記プリズムは、前記表示パネルの一方主面側に配置されている。また、前記プリズムは、前記表示パネルの一方主面に対して傾斜する第１傾斜面と、該第１傾斜面と異なる角度で傾斜する第２傾斜面とをそれぞれ複数有している。前記一の光散乱層は、前記表示パネルと前記プリズムとの間、あるいは、前記表示パネルの他方主面側に配置されており、光を散乱させる機能を担う。また、前記光散乱層は、画素に対応する領域において、該光散乱層の一方主面と他方主面とがそれぞれ略平坦面であり、且つ、該光散乱層の一方主面と他方主面とが略平行である。そして、本発明の第１の側面に係る表示装置は、前記表示パネルの複数の画素の配列方向における該画素の開口幅をＡＰ、前記光散乱層のヘイズ値をＨ、前記表示パネルの各画素に対応する前記プリズムの配列方向における第１傾斜面領域の平面視長さの総和をＬ、前記表示パネルの各画素に対応する前記プリズムの配列方向における第２傾斜面領域の平面視長さの総和をＲとするとき、ｄ＝（Ｌ−Ｒ）÷ＡＰにより画素ごとに算出されるｄの最大値と最小値との差Ｄが０以上０．３以下でヘイズ値Ｈを５以上とし、差Ｄが０．３より大きく０．７以下でヘイズ値Ｈを１０以上とし、差Ｄが０．７より大きく１以下でヘイズ値Ｈを２０以上としている。ここで、ヘイズ値Ｈとは、入射光に対する散乱透過光の割合を意味する。略等ピッチとは、各ピッチがそれら全ての平均値に対して９８％以上１０２％以下の範囲内であることを意味する。略平坦とは、対象となる面の表面粗さがＪＩＳ規格Ｂ０６０１：２００１の算術平均高さＲａで０．１μｍ以下のものを意味する。略平行とは、基準面（例えば、散乱層の一方主面）に対する対称面（例えば散乱層の他方主面）の傾斜が２°以下であることを意味する。【０００６】
本発明の第２の側面に係る表示装置は、表示パネルおよびプリズムを備えている。前記表示パネルは、平面視において略等ピッチで配列される複数の画素を有する。また、前記表示パネルは、光を散乱させる機能を担う一の光散乱層を含んでなる。前記光散乱層は、画素に対応する領域において、該光散乱層の一方主面と他方主面とがそれぞれ略平坦面であり、且つ、該光散乱層の一方主面と他方主面とが略平行である。前記プリズムは、前記表示パネルの一方主面側に配置される。また、前記プリズムは、前記表示パネルの一方主面に対して傾斜する第１傾斜面と、該第１傾斜面と異なる角度で傾斜する第２傾斜面とをそれぞれ複数有している。そして、本発明の第２の側面に係る表示装置は、前記表示パネルの複数の画素の配列方向における該画素の開口幅をＡＰ、前記光散乱層のヘイズ値をＨ、前記表示パネルの各画素に対応する前記プリズムの配列方向における第１傾斜面領域の平面視長さの総和をＬ、前記表示パネルの各画素に対応する前記プリズムの配列方向における第２傾斜面領域の平面視長さの総和をＲとするとき、ｄ＝（Ｌ−Ｒ）÷ＡＰにより画素ごとに算出されるｄの最大値と最小値との差Ｄが０以上０．３以下でヘイズ値Ｈを５以上とし、差Ｄが０．３より大きく０．７以下でヘイズ値Ｈを１０以上とし、差Ｄが０．７より大きく１以下でヘイズ値Ｈを２０以上としている。【０００７】
本発明の第３の側面に係る表示装置は、表示パネルと、プリズムと、一の光散乱層とを備えている。前記表示パネルは、平面視において略等ピッチで配列される複数の画素を有する。前記プリズムは、前記表示パネルの一方主面側に配置される。また、前記プリズムは、前記表示パネルの一方主面に対して傾斜する第１傾斜面と、該第１傾斜面と異なる角度で傾斜する第２傾斜面とをそれぞれ複数有している。前記一の光散乱層は、前記表示パネルと前記プリズムとの間、あるいは、前記表示パネルの他方主面側に配置され、光を散乱させる機能を担う。前記光散乱層は、画素に対応する領域において、該光散乱層の一方主面が略平坦面であり、且つ、該光散乱層の他方主面が凹凸面である。そして、本発明の第３の側面に係る表示装置は、前記表示パネルの複数の画素の配列方向における該画素の開口幅をＡＰ、前記光散乱層のヘイズ値をＨ、前記表示パネルの各画素に対応する前記プリズムの配列方向における第１傾斜面領域の平面視長さの総和をＬ、前記表示パネルの各画素に対応する前記プリズムの配列方向における第２傾斜面領域の平面視長さの総和をＲとするとき、ｄ＝（Ｌ−Ｒ）÷ＡＰにより画素ごとに算出されるｄの最大値と最小値との差Ｄが０以上０．４以下でヘイズ値Ｈを２以上とし、差Ｄが０．４より大きく０．７以下でヘイズ値Ｈを４以上とし、差Ｄが０．７より大きく０．９以下でヘイズ値Ｈを８以上とし、差Ｄが０．９より大きく１以下でヘイズ値Ｈを１２以上としている。
【発明の効果】
【０００８】
本発明の各側面に係る表示装置では、表示パネルとプリズムとの光学的な干渉により生じるモアレ縞の程度を充分に弱めることができるため、例えば複数の光散乱層を通過させなくても、一の光散乱層により充分にモアレ縞を抑制することができる。また、本表示装置では、光干渉により生じるモアレ縞が充分に弱められているため、モアレ縞を充分に抑制するのに一の光散乱層におけるヘイズ値を過度に高めなくて済む。したがって、本表示装置は、モアレ縞の程度を充分に抑制することができるとともに、プリズムによる集光効果を輝度向上に充分に繋げるうえで好適である。
【発明を実施するための最良の形態】
【０００９】
本発明の第１の実施形態に係る液晶表示装置Ｘ１は、液晶表示パネル１０と、プリズム２０と、光散乱層３０と、偏光部材４０，４１と、バックライト５０と、筐体６０とを備えるものである。本実施形態において、各構成部を接合するのに要する構成（例えば、接着層）については、説明を省略するが必要に応じて有しているものとする。【００１０】
液晶表示パネル１０は、液晶層１１と、第１基体１２と、第２基体１３と、封止部材１４とを備えている。また、液晶表示パネル１０では、第１基体１２と第２基体１３との間に液晶層１１を介在させ、液晶層１１を封止部材１４によって封止することにより表示領域Ｇを構成している。【００１１】
液晶層１１は、電気的、光学的、力学的、あるいは磁気的な異方性を示し、固体の規則性と液体の流動性とを併せ持つ液晶を含んでなる層である。液晶としては、ネマティック液晶、コレステリック液晶、あるいはスメクティック液晶などが挙げられる。なお、液晶層１１には、該液晶層１１の厚さを一定に保つべく、例えば多数の粒子状部材により構成されるスペーサ（図示せず）を介在させてもよい。【００１２】
第１基体１２は、透明基板１２１と、遮光層１２２と、カラーフィルタ１２３と、平坦化層１２４と、透明電極（図示せず）とを備えており、表示領域Ｇを形成する複数の画素を構成するものである。なお、第１基体１２は、マクロ的にランダムな方向を向く（規則性が小さい）液晶層１１の液晶分子を所定方向に配向させるための配向膜などを備えていてもよい。【００１３】
透明基板１２１は、後述する遮光層１２２およびカラーフィルタ１２３を支持し、かつ、液晶層１１を封止するのに寄与する部材である。透明基板１２１は、その主面に対して交差する方向（例えば矢印ＡＢ方向）に光を適切に透過することが可能な構成とされている。透明基板１２１を構成材料としては、ガラスあるいは透光性プラスチックなどが挙げられる。【００１４】
遮光層１２２は、光を遮る（光の透過量を所定値以下にする）ための部材であり、透明基板１２１の内面１２１ａに形成されている。遮光層１２２は、膜厚方向（矢印ＡＢ方向）に貫通する貫通孔１２２ａを複数有している。本実施形態において貫通孔１２２ａは、第１配列方向（矢印ＣＤ方向）においてＧＰの間隔で略等ピッチに配列され、ＡＰの開口幅を有し、第２配列方向（矢印ＥＦ方向）において略等ピッチで配列され、ＡＰよりも大きいＡＰ２の開口幅を有している。遮光層１２２の構成材料としては、遮光部材を含有する樹脂材料、クロムなどの金属材料、酸化クロムなどの金属酸化物材料、ニッケル−タングステン合金などの合金材料などが挙げられる。ここで、遮光部材としては、遮光性の高い色（例えば黒色）の染料、遮光性の高い色（例えば黒色）の顔料、あるいはカーボンなどが挙げられる。なお、本実施形態における画素の大きさは、遮光層１２２の貫通孔１２２ａにより規定されている。【００１５】
カラーフィルタ１２３は、カラーフィルタ１２３に入射した光のうち所定の波長以外のものを選択的に吸収し、所定の波長のものを選択的に透過させる部材である。カラーフィルタ１２３は、遮光層１２２の貫通孔１２２ａから露出する透明基板１２１の下面１２１ａに形成されている。カラーフィルタ１２３の構成材料としては、染料あるいは顔料を添加した樹脂材料などが挙げられる。カラーフィルタ１２３としては、赤色可視光の波長を選択的に透過させる赤色カラーフィルタ（Ｒ）、緑色可視光の波長を選択的に透過させる緑色カラーフィルタ（Ｇ）、あるいは青色可視光の波長を選択的に透過させる青色カラーフィルタ（Ｂ）などが挙げられる。【００１６】
平坦化層１２４は、遮光層１２２およびカラーフィルタ１２３などを配置することにより生じる凹凸を平坦化する部材である。平坦化層１２４の構成材料としては、透光性を有する透光性材料などが挙げられる。ここで、透光性材料としては、感光性レジスト材料などの紫外線硬化型樹脂あるいは熱硬化性樹脂などが挙げられる。【００１７】
第１基体１２の透明電極（図示せず）は、後述の第２基体１３の透明電極（図示せず）との間に位置する液晶層１１に所定の電圧を印加する機能を担う部材であり、一方側（例えば矢印Ｂ方向側）から入射した光を他方側（例えば矢印Ａ方向側）に透過するように構成されている。第１基体１２における透明電極の構成材料としては、ＩＴＯ（Indium Tin Oxide）や酸化錫などの透光性を有する導電部材が挙げられる。ここで、透光性とは、光を透過させる性質を意味する。【００１８】
第２基体１３は、透明基板１３１および透明電極（図示せず）を備えており、表示領域Ｇを形成する複数の画素を構成するものである。なお、第２基体１３は、マクロ的にランダムな方向を向く（規則性が小さい）液晶層１１の液晶分子を所定方向に配向させるための配向膜などを備えていてもよい。【００１９】
透明基板１３１は、透明電極（図示せず）を支持し且つ液晶層１１を封止するのに寄与する部材である。透明基板１３１は、その主面に対して交差する膜厚方向（例えば矢印ＡＢ方向）に光を適切に透過することが可能な構成とされている。透明基板１３１の構成材料としては、透明基板１２１の構成材料と同様のものが挙げられる。【００２０】
第２基体１３の透明電極（図示せず）は、第１基体１２の透明電極（図示せず）との間に位置する液晶層１１に所定の電圧を印加する機能を担う部材であり、一方側（例えば矢印Ｂ方向側）から入射した光を他方側（例えば矢印Ａ方向側）に透過するように構成されている。第２基体１３における透明電極の構成材料としては、第１基体１２における透明電極の構成材料と同様のものが挙げられる。【００２１】
封止部材１４は、第１基体１２と第２基体１３との間に液晶層１１を封止する機能を担う部材である。封止部材１４の構成材料としては、エポキシ樹脂あるいはアクリル樹脂などが挙げられる。【００２２】
ここで、図４に記された白抜きの矢印は、光の経路を表している。また、図５では、見易さの観点から、第１基体１２を除く液晶表示パネル１０の構成部材、光散乱層３０、および偏光部材４０を省略している。【００２３】
プリズム２０は、プリズム２０の膜厚方向において矢印Ｂ方向側から矢印Ａ方向側に向けて通過する光を集光させるものであり、その一方主面側に液晶表示パネル１０の一方主面に対して傾斜する第１傾斜面２０ａと、第１傾斜面２０ａと異なる角度で傾斜する第２傾斜面２０ｂとを複数有している。第１傾斜面２０ａおよび第２傾斜面２０ｂは、第１配列方向（矢印ＣＤ方向）において交互かつ所定の間隔で設けられており、その間隔（プリズムピッチ）の平均値をＰＰとする。また、プリズム２０の一方主面を平面視したとき（矢印Ａ方向側から矢印Ｂ方向側に向けて見たとき）の第１配列方向における長さ（平面視長さ）は、第１傾斜面２０ａの領域がＬＷであり、第２傾斜面２０ｂの領域がＲＷである。本実施形態において、プリズム２０の第１傾斜面２０ａの平面視長さＬＷは、第２傾斜面２０ｂの平面視長さＲＷに略等しく、第１傾斜面２０ａに対して第２傾斜面２０ｂは略垂直に形成されている。ここで、略垂直とは、第１傾斜面２０ａに対する第２傾斜面２０ｂの傾斜が８８°以上９０°以下であることをいう。【００２４】
第１傾斜面２０ａは、プリズム２０の他方主面２０ｃに対して垂直に入射される光を右方向（矢印Ｃ方向）に屈折させるように形成され、第２傾斜面２０ｂは、プリズム２０の他方主面２０ｃに対して垂直に入射される光を左方向（矢印Ｄ方向）に屈折させるように形成されている。そのため、貫通孔１２２ａを通過する光は、プリズム２０の第１傾斜面２０ａおよび第２傾斜面２０ｂを通過する光の量により、第１配列方向に対する光の偏りが変化する。例えば、図５に示す画素において、貫通孔１２２ａと対応する領域には、三つの第１傾斜面２０ａと、二つの第２傾斜面２０ｂと、第２傾斜面２０ｂの一部とが配置されているため、画素を通過する光は右方向に屈折された光を多く含む。つまり、貫通孔１２２ａを通過する光は全体的に右方向に偏っている。ここで、プリズム２０の一方主面を平面視した場合において、各貫通孔１２２ａに対向する第１傾斜面２０ａの平面視長さの総和をＬ、第２傾斜面２０ｂの平面視長さの総和をＲとするとき、画素を通過する光の偏りｄは、以下の数式１により導出される。
【数１】
2008066066.tif 000003
【００２５】
本実施形態に係る図５において、各平面視長さの総和Ｌ，Ｒは、下記の数式２および数式３により導出されている。
【数２】
2008066066.tif 000004
【００２６】
【数３】
2008066066.tif 000005
【００２７】
貫通孔１２２ａを通過する光は、このｄの値が正の値なら右方向に偏り、負の値なら左方向に偏る。また、平面視長さＬと平面視長さＲとの値が等しい場合は、実質的に左右の方向に光の偏りの無い光が貫通孔１２２ａを通過する。なお、プリズム２０の構成材料としては、透光性を有する樹脂材料などが挙げられる。ここで、透光性を有する樹脂材料としては、ポリカーボネート樹脂、ポリエステル樹脂、あるいはアクリル樹脂などが挙げられる。【００２８】
光散乱層３０は、透光性材料３１と光散乱材３２とを含んでなり、該光散乱層３０を通過する光を散乱させる機能を有している。光散乱層３０は、略平坦な一方主面３０ａと他方主面３０ｂとを有しており、一方主面３０ａと他方主面３０ｂとは、略平行に形成されている。ここで、略平坦とは、対象となる面の表面粗さがＪＩＳ規格Ｂ０６０１：２００１の算術平均高さＲａで０．１μｍ以下のものを意味する。略平行とは、基準面（例えば、光散乱層３０の一方主面）に対する対称面（例えば光散乱層３０の他方主面）の傾斜が２°以下であることを意味する。本実施形態において光散乱層３０は、液晶表示パネル１０とプリズム２０との間に位置している。【００２９】
透光性材料３１は、光散乱層３０において光を透過する機能を担う部材である。透光性材料３１としては、透光性を有する樹脂材料などが挙げられるが、別途接着材を設けずに済むように接着性を有するものが特に好ましい。ここで、樹脂材料としては、紫外線硬化型樹脂あるいは熱硬化型樹脂などが挙げられる。【００３０】
光散乱材３２は、光散乱層３０において光を散乱させる機能を担う部材である。本実施形態における光散乱材３２は、その表面の少なくとも一部が透光性材料３１に被覆されており、光散乱層３０の全体に所定状態（例えば略均一状態）で分散させられている。光散乱材３２の構成材料としては、透光性材料３１とは異なる屈折率の透光性散乱材あるいは光反射材などが挙げられ、本実施形態においては透光性散乱材が採用されている。光散乱材３２の形状は、特に限られないが、光散乱性を高める観点で粒子状とするのが好ましい。透光性散乱材としては、透光性金属酸化物、透光性シリコン酸化物、あるいは透光性樹脂などが挙げられる。ここで、透光性金属酸化物としては、酸化アルミニウム、酸化チタン、酸化ジルコニウム、酸化スズ、酸化インジウム、酸化カドミウム、あるいは酸化アンチモンなどが挙げられる。透光性シリコン酸化物としては、二酸化シリコンなどが挙げられる。透光性樹脂としては、ポリオレフィン系樹脂あるいはホルムアルデヒド系樹脂などが挙げられる。また、光反射材としては、金属あるいはその合金などが挙げられる。ここで、金属としては、鉄、アルミニウム、あるいは銀などが挙げられる。合金としては、アルミニウム−クロム（ＡｌＣｒ）、アルミニウム−ネオジウム（ＡｌＮｄ）、銀−パラジウム（ＡｇＰｄ）、あるいは銀−パラジウム−銅（ＡｇＰｄＣｕ）などが挙げられる。【００３１】
偏光部材４０，４１は、所定方向に振動する光を選択的に通過させるためのものであり、それぞれ略平坦な一方主面および他方主面を有している。また、偏光部材４０，４１の構成材料としては、ヨウ素系材料などが挙げられる。本実施形態において偏光部材４１は、偏光部材４１を通過する光の振動方向（第２振動方向）が、偏光部材４０を透過する光の振動方向（第１振動方向）に対して直交するように構成されている。このような構成によると、偏光部材４０，４１を透過する光のシャッタ機能を発揮するうえで好適である。【００３２】
バックライト５０は、光源５１と、導光板５２と、光反射部材５３とを備えており、液晶表示パネル１０の一方（矢印Ｂ方向側）から他方（矢印Ａ方向側）に向けて光を照射する機能を担う部材である。なお、図１に示すように、本実施形態におけるバックライト５０は、導光板５２の側面に光源５１を配したエッジライト方式を採用しているものの、液晶表示パネル１０の裏面側に光源５１を配した直下方式などの他の方式を採用してもよい。【００３３】
光源５１は、導光板５２に向けて光を出射するように構成されている。光源５１としては、冷陰極蛍光ランプ（ＣＦＬ）、ＬＥＤ（Light Emitting Diode）、ハロゲンランプ、キセノンランプ、あるいはＥＬ（Electro-Luminescence）などが挙げられる。【００３４】
導光板５２は、光源５１からの光を液晶表示パネル１０の下面（矢印Ｂ方向側の面）全体にわたって略均一に光を導く機能を担う部材である。導光板５２には、より均一な面状発光とすべく、その上面（矢印Ａ方向側の面）に光拡散部材を設けてもよい。導光板５２の構成材料としては、アクリル樹脂あるいはポリカーボネート樹脂などの透明樹脂などが挙げられる。【００３５】
光反射部材５３は、導光板５２から矢印Ｂ方向側に向かう光を矢印Ａ方向側に向けて反射する機能を担う部材であり、本実施形態において導光板５２の下面（矢印Ｂ方向側の面）に設けられている。光反射部材５３の構成材料としては、金属材料あるいは発泡させた樹脂材料などが挙げられる。金属材料としては、アルミニウムあるいは銀などが挙げられる。発泡させた樹脂材料としては、ポリエチレンテレフタラート樹脂などを発泡させたものなどが挙げられる。【００３６】
筐体６０は、液晶表示パネル１０と、プリズム２０と、光散乱層３０と、偏光部材４０と、バックライト５０とを収容する部材であり、上側筐体６１および下側筐体６２を含んで構成される。筐体６０の構成材料としては、樹脂材料あるいは金属材料などが挙げられる。樹脂材料としては、ポリカーボネート樹脂などが挙げられる。金属材料としては、ステンレススチールやアルミニウムなどが挙げられる。【００３７】
ここで、上記構成の液晶表示装置Ｘ１を用いて、モアレ縞を充分に低減することができるように、種々の画素を通過する光の偏りｄとヘイズ値Ｈとの関係を導いた結果を以下に示す。【００３８】
図７では、第１配列方向における遮光層１２２の貫通孔１２２ａを規定する面とプリズム２０の第１傾斜面２０ａの端とが一致する箇所を横軸の原点としており、このときｄの値は最大値を示す。図７のグラフでは、ｄの振幅が大きいほどモアレ縞が強く表れ、ｄの振幅が小さいほどモアレ縞が弱く表れる。また、図７のグラフでは、ｄの周期が短いほどモアレ縞の表れる周期が短くなり、ｄの周期が長いほどモアレ縞の表れる周期が長くなる。【００３９】
表１に、図７（ａ），（ｂ），（ｃ）に示すプリズム２０および液晶表示パネル１０の光学的な干渉によって表れたモアレ縞の強弱を目視により評価した結果を示す。
【表１】
2008066066.tif 000006
【００４０】
表１の結果から、プリズムピッチＰＰが２４μｍ，５０μｍ，１５０μｍの順でモアレが強くなることが明らかになった。【００４１】
表２に、本実施形態に係る液晶表示装置Ｘ１を用いて、光散乱層３０のヘイズ値Ｈと、画素を通過する光の偏りｄの最大値と最小値との差Ｄとの関係によって表れるモアレ縞を目視により評価した結果を示す。表２においては、モアレ縞の程度を充分に抑制することができ且つ実用上支障のある画像ボケの発生が見られないものを「○」とし、モアレ縞の程度を充分に抑制することができるものの実用上支障のある画像ボケが発生する場合があるものを「△」とし、モアレ縞の程度を充分に抑制することができないものを「×」として評価している。
【表２】
2008066066.tif 000007
【００４２】
表２の結果から、画素を通過する光の偏りｄの最大値と最小値との差Ｄが０以上０．３以下でヘイズ値Ｈを５以上とし、差Ｄが０．３より大きく０．７以下でヘイズ値Ｈを１０以上とし、差Ｄが０．７より大きく１以下でヘイズ値Ｈを２０以上とするように選択することで、モアレ縞の程度を充分に抑制できることが明らかになった。【００４３】
本実施形態に係る液晶表示装置Ｘ１では、液晶表示パネル１０とプリズム２０との光学的な干渉により生じるモアレ縞の程度を充分に弱めることができるため、例えば複数の光散乱層を通過させなくても、一の光散乱層３０により充分にモアレ縞を抑制することができる。また、液晶表示装置Ｘ１では、光干渉により生じるモアレ縞が充分に弱められているため、一の光散乱層３０におけるヘイズ値Ｈを過度に高めなくて済む。したがって、液晶表示装置Ｘ１では、モアレ縞の程度を充分に抑制することができるとともに、プリズム２０による集光効果を輝度向上に充分に繋げることができる。さらに、液晶表示装置Ｘ１では、光散乱層３０のヘイズ値を充分に抑制することができるので、液晶表示装置Ｘ１の画像ボケも充分に抑制することができる。液晶表示装置Ｘ１においては、画像ボケを抑制する観点からヘイズ値を６０以下とすることが好ましい。【００４４】
液晶表示装置Ｘ１では、透光性材料３１と、表面の少なくとも一部が透光性材料３１に被覆される光散乱材３２を含んでなる光散乱層３０が採用されている。そのため、液晶表示装置１では、透光性材料３１に含まれる光散乱材３２の含有率を変えることで、光散乱層３０のヘイズ値Ｈを変更することができる。したがって、液晶表示装置Ｘ１は、光散乱層３０の一方主面および他方主面を略平坦面に保ちつつ、光散乱層３０のヘイズ値を調整するうえで好適である。また、液晶表示装置Ｘ１では、光散乱材３２を被覆する透光性材料３１とは屈折率の異なる透光性材料により光散乱材３２が構成されている。そのため、液晶表示装置１では、例えば金属製の光散乱材に比べてその表面での反射を抑制することができるので、入射される光が後方（入射側）に反射されるのを抑制することができる。つまり、液晶表示装置Ｘ１では、後方散乱に起因する光の損失を低減することにより、その輝度をより高めることができる。【００４５】
液晶表示装置Ｘ１では、プリズム２０の各第１傾斜面２０ａの平面視長さＬＷが、各第２傾斜面２０ｂの平面視長さＲＷに略等しい。このような構成によると、プリズム２０を透過する光の屈折の偏りを低減することができるため、光の偏りにより起因して発生するモアレ縞を更に抑制することができる。したがって、液晶表示装置Ｘ１は、光散乱層３０を通過することに起因する光の輝度低下をより抑制するうえで好適である。【００４６】
液晶表示装置Ｘ１では、プリズム２０の第１傾斜面２０ａに対して第２傾斜面２０ｂが略垂直とされている。このような構成によると、第１傾斜面２０ａに対する第２傾斜面２０ｂの角度が急峻になることによって生じるプリズム２０の一方主面に対する機械的な強度の低下と、第１傾斜面２０ａに対する第２傾斜面２０ｂの角度が緩やかになることによって生じるプリズム２０の集光性の低下との均衡をとることができる。したがって、液晶表示装置Ｘ１は、プリズムの集光性とプリズム２０の一方主面に対する機械的な強度とを両立させるうえで好適である。【００４７】
本発明の第２の実施形態に係る液晶表示装置Ｘ２は、プリズム２０と光散乱層３０との間に配置される反射偏光部材７０を更に有する点において、液晶表示装置Ｘ１と異なる。但し、本実施形態における透光性材料３１は、接着性を有する透光性材料により構成されており、偏光部材４０と反射偏光部材７０とを接着している。液晶表示装置Ｘ２の他の構成については、液晶表示装置Ｘ１に関して上述したのと同様である。なお、図８では、図面の見易さの観点から筐体６０を省略している。【００４８】
反射偏光部材７０は、第１振動方向の光を選択的に通過し且つ第１振動方向と振動方向が異なる第２振動方向の光を反射する機能を担う部材である。反射偏光部材７０としては、透光性を有する樹脂材料にコレステリック液晶を混ぜたものを積層してなる積層体、あるいは、屈折率の異なる複数の透光性材料を積層してなる積層体などが挙げられる。ここで、透光性を有する樹脂材料としては、ポリカーボネート樹脂、ポリエステル樹脂、あるいはアクリル樹脂などが挙げられる。また、透光性材料としては、光散乱材３２の構成材料として記載した透光性散乱材と同様のものが挙げられる。【００４９】
表３に、本実施形態に係る液晶表示装置Ｘ２を用いて、光散乱層３０のヘイズ値Ｈと画素を通過する光の偏りｄの最大値および最小値の差Ｄとの関係によって表れたモアレ縞を目視により評価した結果を示す。なお、表３の評価は、表２と同様の評価基準により行っている。
【表３】
2008066066.tif 000008
【００５０】
表３の結果から、画素を通過する光の偏りｄの最大値と最小値との差Ｄが０以上０．３以下でヘイズ値Ｈを５以上とし、差Ｄが０．３より大きく０．７以下でヘイズ値Ｈを１０以上とし、差Ｄが０．７より大きく１以下でヘイズ値Ｈを２０以上とするように選択することで、モアレ縞を充分に抑制できることが明らかになった。【００５１】
液晶表示装置Ｘ２は、反射偏光部材７０と光反射部材５３とを備えている。そのため、液晶表示装置Ｘ２では、プリズム２０から反射偏光部材７０に入射される光のうち第２振動方向に振動する光を光反射部材５３側に反射させるとともに、この反射光を光反射部材５３によって反射偏光部材７０側に反射させることで、再度反射偏光部材７０に入射させることができる。つまり、液晶表示装置Ｘ２では、第２振動方向に振動する光が第１振動方向に振動する光となって反射偏光部材７０を通過するまで、反射偏光部材７０と光反射部材５３とにより多重反射させることができる。したがって、液晶表示装置Ｘ２では、バックライト５０から反射偏光部材７０に入射される光をより効率的に液晶表示パネル１０に入射させることができるので、その輝度をより高めることができる。【００５２】
液晶表示装置Ｘ２では、透光性材料３１として接着性を有する透光性樹脂が採用されている。つまり、液晶表示装置Ｘ２では、液晶表示パネル１０と反射偏光部材７０との間に介在する光散乱層３０自体が接着層としての機能も担うこととなる。したがって、液晶表示装置Ｘ２では、光散乱層３０とは別に接着層を設けずに済む分、装置全体の厚みの増加を抑制することができる。【００５３】
液晶表示装置Ｘ２では、反射偏光部材７０が光散乱層３０を介して液晶表示パネル１０の一方主面に対向配置されている。つまり、液晶表示装置Ｘ２では、反射偏向部材７０と光反射部材５３との間に光散乱層３０が介在していない。そのため、液晶表示装置Ｘ２では、光散乱層３０を通過させることなく、反射偏光部材７０により反射された光を光反射部材５３に入射することができるので、反射偏光部材７０と光反射部材５３との間で多重反射させている光が散乱され、輝度が低下してしまうのを抑制することができる。したがって、液晶表示装置Ｘ２は、反射偏光部材７０に入射される光を効率よく利用し、輝度の向上を図るうえで好適である。【００５４】
本発明の第３の実施形態に係る液晶表示装置Ｘ３は、液晶表示装置Ｘ２の光散乱層３０に代えて、液晶表示パネル１０の平坦化層１２４を光散乱層１２４’とした点において、液晶表示装置Ｘ２と異なる。液晶表示装置Ｘ３の他の構成については、液晶表示装置Ｘ２に関して上述したのと同様である。なお、図９では、図面の見易さの観点から筐体６０を省略している。【００５５】
光散乱層１２４’は、平坦化層１２４中に光散乱材（図示せず）を分散させることにより構成している。本実施形態において光散乱層１２４’は、遮光層１２２の貫通孔１２２ａに対応する領域において、一方主面と他方主面とがそれぞれ略平坦面であり且つ一方主面と他方主面とが略平行である。ここで、略平坦とは、対象となる面の表面粗さがＪＩＳ規格Ｂ０６０１：２００１の算術平均高さＲａで０．１μｍ以下のものを意味する。略平行とは、基準面（例えば、光散乱層３０の一方主面）に対する対称面（例えば光散乱層３０の他方主面）の傾斜が２°以下であることを意味する。光散乱層１２４’における光散乱材の構成材料としては、光散乱層３０における光散乱材３２と同様のものが挙げられ、本実施形態においては透光性散乱材が採用されている。【００５６】
表４に、本実施形態に係る液晶表示装置Ｘ３を用いて、光散乱層１２４’のヘイズ値Ｈと画素を通過する光の偏りｄの最大値および最小値の差Ｄとの関係によって表れるモアレ縞を目視により評価した結果を示す。なお、表４の評価は、表２と同様の評価基準により行っている。
【表４】
2008066066.tif 000009
【００５７】
表４の結果から、画素を通過する光の偏りｄの最大値と最小値との差Ｄが０以上０．３以下でヘイズ値Ｈを５以上とし、差Ｄが０．３より大きく０．７以下でヘイズ値Ｈを１０以上とし、差Ｄが０．７より大きく１以下でヘイズ値Ｈを２０以上とするように選択することにより、モアレ縞を充分に抑制できることが明らかになった。【００５８】
本実施形態に係る液晶表示装置Ｘ３では、液晶表示パネル１０とプリズム２０との光学的な干渉により生じるモアレ縞の程度を充分に弱めることができるため、例えば複数の光散乱層を通過させなくても、一の光散乱層１２４’により充分にモアレ縞を抑制することができる。また、液晶表示装置Ｘ３では、光干渉により生じるモアレ縞が充分に弱められているため、一の光散乱層１２４’におけるヘイズ値Ｈを過度に高めなくて済む。したがって、液晶表示装置Ｘ３では、モアレ縞の程度を充分に抑制することができるとともに、プリズム２０による集光効果を輝度向上に充分に繋げることができる。さらに、液晶表示装置Ｘ３では、光散乱層１２４’のヘイズ値を充分に抑制することができるので、液晶表示装置Ｘ３の画像ボケも充分に抑制することができる。液晶表示装置Ｘ３においては、画像ボケを抑制する観点からヘイズ値を６０以下とすることが好ましい。【００５９】
液晶表示装置Ｘ３では、透光性材料と、表面の少なくとも一部が透光性材料に被覆される光散乱材を含んでなる光散乱層１２４’が採用されている。そのため、液晶表示装置Ｘ３では、透光性材料３１に含まれる光散乱材３２の含有率を変えることで、光散乱層３０のヘイズ値Ｈを変更することができる。したがって、液晶表示装置Ｘ３は、光散乱層３０の一方主面および他方主面を略平坦面に保ちつつ、光散乱層３０のヘイズ値を調整するうえで好適である。【００６０】
液晶表示装置Ｘ３では、光散乱層１２４’が凹凸を平坦化するための平坦化層１２４としての機能も担う。したがって、液晶表示装置Ｘ３では、光散乱層１２４’とは別に平坦化層を設けずに済む分、液晶表示装置Ｘ３の厚みの増加を抑制することができる。【００６１】
本発明の第４の実施形態に係る液晶表示装置Ｘ４は、光散乱層３０および偏向部材４０に代えて、表面を粗面化処理してなる光散乱層３０’を有する偏向部材４０’とした点において液晶表示装置Ｘ２と異なる。液晶表示装置Ｘ４の他の構成については、液晶表示装置Ｘ２に関して上述したのと同様である。なお、図１０では、図面の見易さの観点から筐体６０を省略している。【００６２】
光散乱層３０’は、偏光部材４０におけるプリズム２０との対向面を粗面化処理することにより構成されている。【００６３】
表５に、本実施形態に係る液晶表示装置Ｘ４を用いて、光散乱層３０’のヘイズ値Ｈと画素を通過する光の偏りｄの最大値および最小値の差Ｄとの関係によって表れるモアレ縞を目視により評価した結果を示す。なお、表５の評価は、表２と同様の評価基準により行っている。
【表５】
2008066066.tif 000010
【００６４】
表５の結果から、画素を通過する光の偏りｄの最大値と最小値との差Ｄが０以上０．４以下でヘイズ値Ｈを２以上とし、差Ｄが０．４より大きく０．７以下でヘイズ値Ｈを４以上とし、差Ｄが０．７より大きく０．９以下でヘイズ値Ｈを８以上とし、差Ｄが０．９より大きく１以下でヘイズ値Ｈを１２以上とするように選択することで、モアレ縞を充分に抑制できることが明らかになった。【００６５】
液晶表示装置Ｘ４では、液晶表示パネル１０とプリズム２０との光学的な干渉により生じるモアレ縞の程度を充分に弱めることができるため、複数の光散乱層を通過させなくても、一の光散乱層３０’により充分にモアレ縞を抑制することができる。また、液晶表示装置Ｘ４では、光干渉により生じるモアレ縞が充分に弱められているため、モアレ縞を充分に抑制するのに一の光散乱層３０’におけるヘイズ値Ｈを過度に高めなくて済む。したがって、液晶表示装置Ｘ４は、モアレ縞の程度を充分に抑制することができるとともに、プリズム２０による集光効果を輝度向上に充分に繋げることができる。さらに、液晶表示装置Ｘ４では、光散乱層３０’のヘイズ値を充分に抑制することができるので、液晶表示装置Ｘ４の画像ボケも充分に抑制することができる。液晶表示装置Ｘ４においては、画像ボケを抑制する観点からヘイズ値を３５以下とすることが好ましい。【００６６】
本発明の第５の実施形態に係る液晶表示装置Ｘ５は、液晶表示パネル１０とプリズム２０との間に別のプリズム２１を有する点において、液晶表示装置Ｘ４と異なる。液晶表示装置Ｘ５の他の構成については、液晶表示装置Ｘ４に関して上述したのと同様である。本実施形態では液晶表示装置Ｘ４を採用して説明するが、液晶表示装置Ｘ１，Ｘ２，Ｘ３を採用してもよい。なお、図１１では、図面の見易さの観点から筐体６０を省略している。【００６７】
プリズム２１は、その膜厚方向において矢印Ｂ方向側から矢印Ａ方向側に向けて通過する光を集光させる機能を担う部材である。プリズム２１は、その一方主面側に液晶表示パネル１０の一方主面に対して傾斜する第３傾斜面２１ａと、第３傾斜面２１ａと異なる角度で傾斜する第４傾斜面２１ｂとを複数有している。第３傾斜面２１ａおよび第４傾斜面２１ｂは、第２配列方向において交互かつ周期的に設けられており、その周期（プリズムピッチ）は、等しくＰＰ２である。また、第３傾斜面２１ａおよび第４傾斜面２１ｂの延びる方向は、第１傾斜面２０ａおよび第２傾斜面２０ｂの延びる方向に対して略直交している。ここで、略直交とは、プリズムにおけるプリズム溝の延びる方向に対する別のプリズムにおけるプリズム溝の延びる方向の傾きが８８°以上９０°以下であることを意味する。第３傾斜面２１ａはプリズム２１の他方主面２１ｃに対して垂直に入射される光を右方向（矢印Ｆ方向）に屈折させるように形成され、第４傾斜面２１ｂはプリズム２１の他方主面２１ｃに対して垂直に入射される光を左方向（矢印Ｅ方向）に屈折させるように形成されている。プリズム２１の構成材料としては、プリズム２０の構成材料と同様のものが挙げられる。表６にＡＰを７９μｍ、ＡＰ２を２３７μｍとしたときのＰＰとＰＰ２との関係によって表れるモアレ縞を目視により評価した結果を示す。なお、表６の評価は、表２と同様の評価基準により行っている。
【表６】
2008066066.tif 000011
【００６８】
表６の結果から、液晶表示装置Ｘ５のように複数（本実施形態では２つ）のプリズム２０，２１を備える場合には、プリズム２０，２１のうち、各プリズム２０，２１の開口幅ＡＰ，ＡＰ２などにより上述の他の実施例と同様にして算出されるｄの最大値と最小値との差Ｄの最も大きいプリズムにおいて、充分にモアレ縞の程度を抑制することが可能なヘイズ値Ｈを有する光散乱層３０’を採用すればよいことが明らかとなった。【００６９】
液晶表示装置Ｘ５は、プリズム２１を更に有している。そのため、液晶表示装置Ｘ５は、プリズム２０と別のプリズム２１とを通過した光をこの略直交する方向に対する偏りを抑えて集光させることができる。したがって、液晶表示装置Ｘ５は、液晶表示パネル１０に対する視野角の違いによる輝度のバラツキを抑制するうえで好適である。【００７０】
以上、本発明の具体的な実施形態を示したが、本発明はこれに限定されるものではなく、発明の思想から逸脱しない範囲内で種々の変更が可能である。【００７１】
上述の各実施形態では表示装置として、液晶表示パネル１０を備える液晶表示装置Ｘ１，Ｘ２，Ｘ３，Ｘ４，Ｘ５を用いて説明を行ったが、これに代えて、他の自発光しない表示パネルなどを備えるものを採用しても同様の効果を奏することができる。【００７２】
上述の各実施形態において液晶表示パネル１０の第１基体１２は、遮光層１２２を有しているが、遮光層１２２を有していなくてもよい。ここで、液晶表示装置Ｘ４の液晶表示パネル１０として遮光層１２２を有さない液晶表示パネルを採用した場合における、光散乱層３０’のヘイズ値Ｈと画素を通過する光の偏りｄの最大値および最小値の差Ｄとの関係によって生じるモアレ縞を目視により評価した結果を表７に示す。なお、表７の評価は、表２と同様の評価基準により行っている。
【表７】
2008066066.tif 000012
【００７３】
表７に示されるように、表５に示す遮光層１２２を有する場合と同様の結果が得られ、同様の効果を奏することがわかった。【００７４】
上述の各実施形態においてプリズム２０は、第１傾斜面２０ａと第２傾斜面２０ｂとが連続的に形成されているが、第１傾斜面２０ａおよび第２傾斜面２０ｂを有していれば、その他の構成としてもよい。例えば、図１３に示すように、第１配列方向（矢印ＣＤ方向）と厚み方向（矢印ＡＢ方向）とにより規定される面における断面形状が略台形状のプリズム２０’としてもよい。このような構成の場合、プリズム２０’の一方主面を平面視したときの第１配列方向における第１傾斜面２０ａ’と第２傾斜面２０ｂ’との平面視長さは、それぞれＬＷ’，ＲＷ’により表される。また、図１４に示すように、一方主面に平坦面２０ｄ”を有するプリズム２０”としてもよい。このような構成の場合、プリズム２０”の一方主面を平面視したときの第１配列方向における第１傾斜面２０ａ’と第２傾斜面２０ｂ’との平面視長さは、それぞれＬＷ”，ＲＷ”により表される。なお、プリズム２１についても同様の構成変更を行ってもよい。【００７５】
液晶表示装置Ｘ１の光散乱層３０は、液晶表示パネル１０とプリズム２０との間に位置しているが、このような構成に限られるものではなく、液晶表示パネル１０の第１基体１２に対向するように配置していてもよい。このような構成においても同様の効果が得られる。【００７６】
液晶表示装置Ｘ４では、偏光部材４０におけるプリズム２０との対向面を粗面化処理することによって光散乱層３０’を形成しているが、これには限られず、例えば透光性材料と該透光性材料により表面の一部が被覆される光散乱材とを含んで構成される光散乱層で偏光部材４０におけるプリズム２０との対向面を被覆するようにしてもよい。このような構成によると、透光性材料に含有される光散乱材の大きさを変更することにより、光散乱層のヘイズ値Ｈを変更することができるため、光散乱層により光が過度に散乱されるのを抑えつつ、光散乱層のヘイズ値Ｈを調整するうえで好適である。【００７７】
液晶表示装置Ｘ４では、偏光部材４０におけるプリズム２０との対向面を粗面化処理することによって光散乱層３０’を形成しているが、これには限られず、偏光部材４１の表面を粗面化処理することによって光散乱層を形成してもよい。ここで、偏光部材４１のヘイズ値Ｈと、画素を通過する光の偏りｄの最大値および最小値の差Ｄとの関係によって生じるモアレ縞を目視により評価した結果を表８に示す。なお、表８の評価は、表２と同様の評価基準により行っている。
【表８】
2008066066.tif 000013
【００７８】
表８に示されるように、表５に示す偏向部材４０を粗面化処理する場合と同様の結果が得られ、同様の効果を奏することがわかった。【００７９】
液晶表示装置Ｘ３，Ｘ４では、反射偏光部材７０を備えた構成となっているが、このような構成に限られるものではなく、反射偏光部材７０を備えていない構成としてもよい。
【図面の簡単な説明】
【００８０】
【図１】本発明の第１の実施形態に係る液晶表示装置Ｘ１の概略構成を示す断面図である。
【図２】図２Ａは、図１に示す液晶表示パネル１０の概略構成を表す斜視図であり、図２Ｂ，図２Ｃは図１に示す液晶表示パネル１０の概略構成を表す要部断面図である。
【図３】図３Ａは、図１に示すプリズム２０の概略構成を表す斜視図であり、図３Ｂは、図３ＡのIIIｂ−IIIｂ線に沿った要部拡大断面図である。
【図４】図３に示すプリズム２０を通過する光の屈折する様子を表す模式図である。
【図５】図２に示す遮光層１２２の貫通孔１２２ａと図１に示すプリズム２０との位置関係によるプリズム２０を通過する際に屈折した光の第１配列方向に対する偏りｄを説明するための図である。
【図６】図１に示す光散乱層３０の概略構成を表す断面図である。
【図７】図７Ａは、図５に示す遮光層１２２の貫通孔１２２ａの間隔ＧＰを９９μｍ、該貫通孔１２２ａの開口幅ＡＰを７９μｍ、プリズムピッチＰＰを２４μｍとしたときの、第１配列方向に対する位置（横軸）と画素を通過する光の偏りｄ（縦軸）との関係を示すグラフであり、図７Ｂは、図５に示す遮光層１２２の貫通孔１２２ａの間隔ＧＰを９９μｍ、該貫通孔１２２ａの開口幅ＡＰを７９μｍ、プリズムピッチＰＰを５０μｍとしたときの、第１配列方向に対する位置（横軸）と画素を通過する光の偏りｄ（縦軸）との関係を示すグラフであり、図７Ｃは、図５に示す遮光層１２２の貫通孔１２２ａの間隔ＧＰを９９μｍ、該貫通孔１２２ａの開口幅ＡＰを７９μｍ、プリズムピッチＰＰを１５０μｍとしたときの、第１配列方向に対する位置（横軸）と画素を通過する光の偏りｄ（縦軸）との関係を示すグラフである。
【図８】本発明の第２の実施形態に係る液晶表示装置Ｘ２の概略構成を表す断面図である。
【図９】図９Ａは、本発明の第３の実施形態に係る液晶表示装置Ｘ３全体の概略構成を表す断面図であり、図９Ｂは、本発明の第３の実施形態に係る液晶表示装置Ｘ３の概略構成を表す要部拡大断面図である。
【図１０】本発明の第４の実施形態に係る液晶表示装置Ｘ４の概略構成を表す断面図である。
【図１１】本発明の第５の実施形態に係る液晶表示装置Ｘ５の概略構成を表す断面図である。
【図１２】図１２Ａは、図１１に示すプリズム２１の概略構成を表す斜視図であり、図１２Ｂは、図１２ＡのXIIｂ−XIIｂ線に沿った要部拡大断面図である。
【図１３】図１３Ａは、液晶表示装置Ｘ１，Ｘ２，Ｘ３，Ｘ４，Ｘ５におけるプリズム２０の変形例の概略構成を表す斜視図であり、図１３Ｂは、図１３ＡのXIIIｂ−XIIIｂ線に沿った要部拡大断面図である。
【図１４】図１４Ａは、液晶表示装置Ｘ１，Ｘ２，Ｘ３，Ｘ４，Ｘ５におけるプリズム２０の変形例の概略構成を表す斜視図であり、図１４Ｂは、図１４ＡのXIVｂ−XIVｂ線に沿った要部拡大断面図である。
【符号の説明】
【００８１】
Ｘ１，Ｘ２，Ｘ３，Ｘ４，Ｘ５    液晶表示装置
１０    液晶表示パネル
１１    液晶層
１２    第１基体
１２１    透明基板
１２２    遮光層
１２３    カラーフィルタ
１２４    平坦化層
１２４’    光散乱層
１３    第２基体
１３１    透明基板
１４    封止部材
２０，２０’，２０”    プリズム
２１    （別の）プリズム
３０，３０’    光散乱層
３１    透光性材料
３２    光散乱材
４０，４１    偏光部材
５０    バックライト
５１    光源
５２    導光板
５３    光反射部材
６０    筐体
６１    上側筐体
６２    下側筐体
７０    反射偏光部材
【図１】
2008066066.tif 000014
【図２】
2008066066.tif 000015
【図３】
2008066066.tif 000016
【図４】
2008066066.tif 000017
【図５】
2008066066.tif 000018
【図６】
2008066066.tif 000019
【図７】
2008066066.tif 000020
【図８】
2008066066.tif 000021
【図９】
2008066066.tif 000022
【図１０】
2008066066.tif 000023
【図１１】
2008066066.tif 000024
【図１２】
2008066066.tif 000025
【図１３】
2008066066.tif 000026
【図１４】
2008066066.tif 000027
【国際調査報告】
2008066066.tif 000028
2008066066.tif 000029
2008066066.tif 000030
2008066066.tif 000031